(57)【要約】【課題】煩雑な操作を行うことなく医用画像の拡大再構成を実施することが可能な医用画像診断装置及び医用画像処理装置を提供することにある。【解決手段】実施形態によれば、被検体から収集された当該被検体内部のデータに基づいて当該被検体の断面に関する第１の画像を再構成し、当該再構成された第１の画像を表示する医用画像診断装置が提供される。実施形態に係る医用画像診断装置は、決定手段と、再構成手段と、表示手段とを具備する。決定手段は、表示された第１の画像に対する操作者の操作に応じて拡大された当該第１の画像の領域を再構成範囲として決定する。再構成手段は、被検体内部のデータに基づいて、当該再構成範囲として決定された領域に対応する第２の画像を再構成する。表示手段は、再構成された第２の画像を表示する。【選択図】図２
2014117311.tif 000002
【特許請求の範囲】
【請求項１】
被検体から収集された当該被検体内部のデータに基づいて当該被検体に関する第１の画像を再構成し、当該再構成された第１の画像を表示する医用画像診断装置において、
前記表示された第１の画像に対する操作者の操作に応じて拡大された当該第１の画像の領域を再構成範囲として決定する決定手段と、
前記被検体内部のデータに基づいて、前記再構成範囲として決定された領域に対応する第２の画像を再構成する再構成手段と、
前記再構成された第２の画像を表示する表示手段と
を具備することを特徴とする医用画像診断装置。
【請求項２】
前記決定手段は、前記操作者の操作に応じて拡大された前記第１の画像の領域の拡大率が予め定められた値を超えた場合に、当該前記第１の画像の領域を再構成範囲として決定することを特徴とする請求項１記載の医用画像診断装置。
【請求項３】
前記決定手段は、前記操作者の操作に応じて拡大された前記第１の画像の領域及び当該領域の周辺領域を前記再構成範囲として決定することを特徴とする請求項１記載の医用画像診断装置。
【請求項４】
前記決定手段は、前記操作者の操作に応じて拡大された前記第１の画像の領域において表示されている前記被検体内の組織を包含する領域を前記再構成範囲として決定することを特徴とする請求項３記載の医用画像診断装置。
【請求項５】
前記決定手段は、前記第１の画像とはスライス位置が異なる複数の第３の画像の領域であって前記再構成範囲として決定された領域に対応する領域の各々を再構成範囲として更に決定することを特徴とする請求項１記載の医用画像診断装置。
【請求項６】
前記再構成手段は、前記再構成範囲として決定された前記第１の画像の領域に対応する第２の画像を再構成した後に、前記再構成範囲として決定された前記複数の第３の画像の領域の各々に対応する第２の画像を、当該複数の第３の画像のうち前記第１の画像とスライス位置が近い第３の画像の領域から順に再構成することを特徴とする請求項５記載の医用画像診断装置。
【請求項７】
前記第１の画像は、ボリュームデータの所定断面におけるＭＰＲ画像及びボリュームデータに基づく３次元画像を含むことを特徴とする請求項１記載の医用画像診断装置。
【請求項８】
被検体から収集された当該被検体内部のデータ及び当該被検体内部のデータに基づいて再構成された当該被検体に関する第１の画像を記憶する記憶手段を有し、当該記憶手段に記憶されている第１の画像を表示する医用画像処理装置において、
前記表示された第１の画像に対する操作者の操作に応じて拡大された当該第１の画像の領域を再構成範囲として決定する決定手段と、
前記記憶手段に記憶されている被検体内部のデータに基づいて、前記再構成範囲として決定された領域に対応する第２の画像を再構成する再構成手段と、
前記再構成された第２の画像を表示する表示手段と
を具備することを特徴とする医用画像処理装置。
【発明の詳細な説明】
【技術分野】
【０００１】
本発明の実施形態は、医用画像診断装置及び医用画像処理装置に関する。
【背景技術】
【０００２】
一般的に、医用分野においては、医用画像診断装置において得られた医用画像を用いて被検体を診断することが行われている。このような医用画像診断技術は今日の医療に必要不可欠なものとなっているが、更なる診断能の向上が望まれている。
【０００３】
そこで、例えばＸ線コンピュータ断層撮影装置（以下、Ｘ線ＣＴ装置と表記）においては、診断能を向上させるために、拡大再構成（ズーミング再構成）を実施することが知られている。この拡大再構成によれば、再構成範囲をスキャン範囲の一部分に限定して高解像度画像（高い空間分解能の画像）が再構成される。このような拡大再構成が実施されることによって再構成範囲に対応する解像度の高い画像を得ることができるため、診断能を向上させることができる。
【０００４】
ところで、Ｘ線ＣＴ装置において拡大再構成を実施する場合には、操作者は、Ｘ線ＣＴ装置において得られた画像（ＣＴ画像）を確認し、当該画像の再構成を再度行うための機能（例えば、再構成リトライ機能）を起動し、当該再構成に必要な投影データ（画像生データ）を選択し、更に、拡大再構成の対象となる領域（再構成範囲）を選択する必要がある。これにより、操作者によって選択された投影データに基づいて当該操作者によって選択された再構成範囲に対する拡大再構成が実施される。
【０００５】
なお、再構成範囲の選択は、例えば画像上で拡大率、拡大中心及び再構成する画像のスライス方向の間隔を表す再構成ピッチ等を操作者が指定することによって行われる。
【発明の概要】
【発明が解決しようとする課題】
【０００６】
上記したように拡大再構成を実施する場合、操作者は複数の操作を行う必要があるが、これは操作者にとっては煩雑である。
【０００７】
これに対して、例えば医用画像を表示画面上で単にズーム（拡大）する機能（以下、ズーム機能と表記）がある。このズーム機能ではマウス等を用いて拡大位置や拡大率（倍率）を容易に変更することが可能であり、上記した拡大再構成時の操作に比べれば簡単な操作で足りる。
【０００８】
しかしながら、ズーム機能によって拡大される医用画像の再構成は低い拡大率で実施されたものであるため、仮に拡大率を変えたとしても当該医用画像の粗さは画像拡大前と変わらない。つまり、ズーム機能によって拡大された医用画像では、上記した拡大再構成が実行された画像に比べて診断能が低い。したがって、高い診断能を得るためには、拡大再構成が実施されることが望ましい。
【０００９】
そこで、本発明が解決しようとする課題は、煩雑な操作を行うことなく医用画像の拡大再構成を実施することが可能な医用画像診断装置及び医用画像処理装置を提供することにある。
【課題を解決するための手段】
【００１０】
実施形態によれば、被検体から収集された当該被検体内部のデータに基づいて当該被検体に関する第１の画像を再構成し、当該再構成された第１の画像を表示する医用画像診断装置が提供される。
【００１１】
実施形態に係る医用画像診断装置は、決定手段と、再構成手段と、表示手段とを具備する。
【００１２】
前記決定手段は、前記表示された第１の画像に対する操作者の操作に応じて拡大された当該第１の画像の領域を再構成範囲として決定する。
【００１３】
前記再構成手段は、前記被検体内部のデータに基づいて、前記再構成範囲として決定された領域に対応する第２の画像を再構成する。
【００１４】
前記表示手段は、前記再構成された第２の画像を表示する。
【図面の簡単な説明】
【００１５】
【図１】実施形態に係るＸ線ＣＴ装置の構成を示す図。
【図２】本実施形態に係るＸ線ＣＴ装置の処理手順を示すフローチャート。
【図３】再構成範囲として決定される拡大対象領域及び周辺領域を含む領域について説明するための図。
【図４】再構成範囲として決定される拡大対象領域において表示されている部位を含む領域について説明するための図。
【発明を実施するための形態】
【００１６】
以下、図面を参照して、実施形態について説明する。
【００１７】
本実施形態に係る医用画像診断装置には、例えばＸ線コンピュータ断層撮影装置（Ｘ線ＣＴ装置）、磁気共鳴イメージング装置（ＭＲＩ装置）、Ｘ線診断装置及び超音波診断装置等が含まれる。以下の説明では、本実施形態に係る医用画像診断装置としてＸ線ＣＴ装置を例に挙げて説明する。
【００１８】
図１は、本実施形態に係るＸ線ＣＴ装置の構成を示す。図１に示すように、Ｘ線ＣＴ装置は、架台１０及びコンソール２０を備える。
【００１９】
架台１０は、Ｘ線系１１、光学系１２、天板（寝台）１３、検出系１４及び架台制御伝送部１５を含む。
【００２０】
Ｘ線系１１は、高電圧発生部１１１及びＸ線管１１２を含む。高電圧発生部１１１は、架台制御伝送部１５からの制御に応じた高電圧をＸ線管１１２に印加し、架台制御伝送部１５からの制御に応じたフィラメント電流をＸ線管１１２に供給する。
【００２１】
Ｘ線管１１２は、高電圧発生部１１１からの高電圧の印加とフィラメント電流の供給とを受けて被検体Ｐに放射されるＸ線を発生する。
【００２２】
光学系１２は、Ｘ線管１１２から発生したＸ線の軟線カットや当該Ｘ線の強度分布を調整するウェッジ（フィルタ）１２１及びスキャン時のスライス厚に合わせて開閉動作するスリット１２２を含む。このような光学系１２により、被曝量が最適化されたファンビームが形成され、被検体ＰにＸ線が照射される。
【００２３】
ここで、架台１０は、図示しない円環または円盤状の回転フレームを搭載する。回転フレームは、Ｘ線管１１２と後述する検出器１４１とを回転フレームの中心軸（回転軸）周りに回転可能に支持している。回転フレームの開口の内部には、ＦＯＶ（field of view）が設定される。回転フレームの開口部内には、天板１３が位置決めされる。天板１３には被検体Ｐが載置される。天板１３に載置された被検体Ｐの撮像部位がＦＯＶ内に含まれるように天板１４が移動される。回転フレームは、図示しない回転フレーム駆動部と接続されており、当該回転フレーム駆動部からの駆動信号の供給を受けて回転軸（被検体Ｐの体軸）周りに一定の角速度で回転する。回転フレーム駆動部は、架台制御伝送部１５からの制御に従って回転フレームを回転軸周りに一定の角速度で回転させる。
【００２４】
検出系１４は、検出器１４１及びデータ収集部（ＤＡＳ：data acquisition system）１４２を含む。
【００２５】
検出器１４１は、Ｘ線管１１２から発生されたＸ線を検出する。検出器１４１は、２次元状に配列された複数の検出素子を搭載する。例えば、複数の検出素子は、上記した回転フレームの回転軸を中心とした円弧に沿って配列される。この円弧に沿う検出素子の配列方向はチャンネル方向と呼ばれる。チャンネル方向に沿って配列された複数の検出素子は、検出素子列と呼ばれる。複数の検出素子列は、回転フレームの回転軸に沿う列方向に沿って配列される。各検出素子は、Ｘ線管１１２から発生されたＸ線を検出し、当該検出されたＸ線の強度に応じた電気信号（電流信号）を生成する。生成された電気信号は、データ収集部１４２に供給される。
【００２６】
データ収集部１４２は、アンプ１４２ａ、Ａ／Ｄ変換器１４２ｂ及びコントロール基盤１４２ｃを含む。データ収集部１４２は、コントロール基盤１４２ｃを介した架台制御伝送部１５の制御に従って、検出器１４１を介して電気信号を読み出し、当該読み出された電気信号を積分モードでビュー（view）毎に収集する。より詳細には、積分モードにおいてデータ収集部１４２は、複数のビューの各々について検出素子毎に電気信号を積分して積分信号を生成する。データ収集部１４２は、収集されたアナログの電気信号（積分信号）をアンプ１４２ａによって増幅し、Ａ／Ｄ変換器１４２ｂによってデジタルデータに変換する。このデジタルデータは、生データと呼ばれる。生データは、非接触型の架台制御伝送部１５を介してコンソール２０に供給（伝送）される。
【００２７】
架台制御伝送部１５は、Ｘ線ＣＴ撮像を実行するために、高電圧発生部１１１、ウェッジ１２１、スリット１２２及びコントロール基盤１４２ｃ等を制御する。
【００２８】
コンソール２０は、前処理部２１、再構成部２２、操作部２３、表示部２４、データ記憶部２５及びシステム制御部２６を含む。
【００２９】
前処理部２１は、架台制御伝送部１５を介してデータ収集部１４２から供給された生データに対して、例えば対数変換や感度補正等の前処理を実行する。前処理が実行されたデータは、投影データと呼ばれる。
【００３０】
再構成部２２は、被検体Ｐから収集された当該被検体Ｐ内部のデータ（投影データ）に基づいて当該被検体Ｐに関する画像（第１の画像）を再構成する。このように再構成部２２によって再構成された画像は、表示部２３によって表示される。なお、再構成部２２は、例えば操作者によって予め定められた再構成関数（再構成アルゴリズム）等に基づいて再構成処理を実行する。
【００３１】
また、再構成部２２は、表示部２３によって表示された画像に対する操作者の操作に応じて拡大された当該画像の領域を、拡大再構成の対象となる範囲（以下、再構成範囲と表記）として決定する。再構成部２２は、上記した被検体Ｐ内部のデータ（投影データ）に基づいて拡大再構成処理を実行する。これにより、再構成部２２は、決定された再構成範囲に対応する高解像度画像（第２の画像）を再構成する。
【００３２】
表示部２３は、再構成部２２によって再構成された画像等の種々の情報を表示機器に表示する。表示機器としては、例えばＣＲＴディスプレイや、液晶ディスプレイ、有機ＥＬディスプレイ、プラズマディスプレイ等が適宜利用可能である。
【００３３】
操作部２４は、入力機器を介してユーザからの各種指令や情報入力を受け付ける。入力機器としては、キーボードやマウス、スイッチ等が利用可能である。操作者は、操作部２４を介して、上記したように表示部２３によって表示された画像の一部の領域を拡大するような操作を行うことができる。
【００３４】
データ記憶部２５には、上記した生データ、投影データ及び画像等の種々のデータが記憶される。また、データ記憶部２５には、本実施形態に係るＸ線ＣＴ装置の制御プログラムが記憶されている。
【００３５】
システム制御部２６は、Ｘ線ＣＴ装置の中枢として機能する。具体的には、システム制御部２６は、データ記憶部２５に記憶されている制御プログラムを読み出してメモリ上に展開し、展開された制御プログラムに従ってＸ線ＣＴ装置内の各部を制御する。
【００３６】
次に、図２のフローチャートを参照して、本実施形態に係るＸ線ＣＴ装置の処理手順について説明する。ここでは、Ｘ線ＣＴ装置のコンソール２０に含まれる再構成部２２によって再構成された画像（ＣＴ画像）が表示部２３によって表示された後に、当該画像の一部分の領域（目的部位）に対して拡大再構成処理を実施する際の処理について主に述べる。
【００３７】
まず、表示部２３は、再構成部２２によって再構成された画像（以下、対象画像と表記）を表示する（ステップＳ１）。表示部２３によって表示される対象画像には、例えば被検体Ｐに関するアキシャル画像が含まれる。アキシャル画像とは、被検体Ｐの体軸に垂直な面（アキシャル面）における画像をいう。なお、ここではアキシャル画像について主に説明するが、本実施形態は、例えばボリュームデータの所定断面におけるＭＰＲ（Multi Planar Reconstruction）画像及びボリュームデータに基づく３次元画像等に対しても適用可能である。
【００３８】
ここで、操作者は、表示部２３によって表示された対象画像の一部の領域を拡大する操作（以下、拡大操作と表記）を行うことができる。この拡大操作は、例えばキーボードやマウス、スイッチ等の入力機器を用いて行われる。以下、操作者による拡大操作の対象となる対象画像の領域を拡大対象領域と称する。
【００３９】
このように操作者によって拡大操作（対象画像上での任意の拡大操作）が行われた場合、操作部２４は、当該操作者による拡大操作を受け付ける（ステップＳ２）。操作部２４によって拡大操作が受け付けられると、当該拡大操作に応じて対象画像の拡大対象領域が拡大された対象画像が表示部２３によって表示される。
【００４０】
次に、上記した拡大対象領域が拡大された対象画像の表示動作のバックグラウンドで、以下のステップＳ３以降の処理が実行される。
【００４１】
この場合、再構成部２２は、操作部２４によって受け付けられた拡大操作に応じて拡大された対象画像の領域（つまり、拡大対象領域）を再構成範囲（拡大再構成の対象となる範囲）として決定する（ステップＳ３）。
【００４２】
次に、再構成部２２は、再構成範囲として決定された領域に対する拡大再構成処理を実行するために必要な投影データ（画像生データ）を、データ記憶部２５から取得する（ステップＳ４）。なお、再構成範囲に対する拡大再構成処理を実行するために必要な投影データには、上記した対象画像の再構成に用いられた投影データが含まれる。
【００４３】
再構成部２２は、取得された投影データに基づいて、上記したステップＳ３において再構成範囲として決定された領域に対して拡大再構成処理を実行する（ステップＳ５）。これにより、再構成部２２は、再構成範囲として決定された領域に対応する画像（以下、拡大再構成画像と表記）を再構成する。ここで再構成された拡大再構成画像は、拡大再構成処理が実行される前の画像（つまり、拡大対象領域が拡大された対象画像）と比較してより解像度が高い画像である。なお、この拡大再構成処理が実行される場合に用いられる再構成関数は、対象画像が再構成された際に用いられたものであってもよいが、当該対象画像が再構成された際に用いられたものより高精細な画像を再構成可能なものが用いられても構わない。これにより、拡大再構成画像の診断能を更に向上させることができる。
【００４４】
このように再構成部２２によって拡大再構成処理が実行された場合、表示部２３は、拡大再構成画像（アキシャル画像）を表示する（ステップＳ６）。具体的には、表示部２３は、単に拡大対象領域が拡大されて表示されている対象画像に代えて拡大再構成画像を表示する。
【００４５】
これにより、本実施形態においては、操作者は表示されている対象画像に対して拡大操作を行うのみで自動的に拡大再構成処理が実行されて拡大再構成画像が表示されるため、操作者が目的とする部位（領域）についての高精細な画像を確認することが可能となる。
【００４６】
なお、上記したステップＳ３以降の処理は、例えば操作者による拡大操作に応じた対象画像（の拡大対象領域）の拡大率が予め定められた値以上（つまり、一定以上）となった場合に実行されるように設定しておくことが好ましい。これによれば、拡大再構成を実施するために操作者が特別な操作をする必要がないため、当該操作者による操作を待つことなく迅速に拡大再構成を実施することができる。
【００４７】
また、ここでは表示されている画像の拡大対象領域に対してのみ拡大再構成処理が実行されるものとして説明したが、例えばステップＳ３の処理において拡大対象領域及び当該拡大対象領域の周辺領域を再構成範囲として決定することにより、図３に示すような拡大対象領域１０１とその周辺領域とを含む領域１０２に対して拡大再構成処理を実行することができる。これにより、操作者が例えば拡大対象領域１０１から図３に示す領域１０３に視点をずらした場合であっても、拡大再構成処理が実行されるのを待つことなく、高精細な画像を確認することができる。
【００４８】
なお、再構成範囲として決定される拡大対象領域１０１とその周辺領域を含む領域１０２は、例えば、当該拡大対象領域１０１が円形の領域であるものとすると、当該拡大対象領域１０１と同一の中心点を有し、当該拡大対象領域１０１の半径の２倍の長さを半径とする円形の領域（範囲）とすることができる。この再構成範囲として決定される領域１０２は、例えば操作者が一度の操作で確認することが可能な範囲等に基づいて適宜変更することが可能である。
【００４９】
更に、表示されている対象画像に対してのみ拡大再構成処理が実行されるのではなく、当該対象画像とはスライス位置が異なる複数の画像（第３の画像）、つまり、例えば図３に示す画像２００及び３００等の領域に対しても拡大再構成処理が実行されても構わない。この場合、例えばステップＳ３の処理において拡大対象領域（及び周辺領域）に対応する画像２００及び３００の領域を再構成範囲として更に決定することにより、スライス方向についても自動で拡大再構成が実施される。これにより、操作者がスライス方向について確認する場合であっても、その都度拡大再構成処理が実行されるのを待つことなく、高精細な画像を確認することができる。
【００５０】
なお、上記したように対象画像とはスライス位置が異なる画像の領域が再構成範囲として決定された場合には、当該対象画像とスライス位置が近い画像の領域から順に拡大再構成処理が実行されるものとする。これにより、操作者は、現在の画像（対象画像）に表示されている部位の近傍から順に、再構成の待ち時間がなく高精細な画像を確認していくことができる。
【００５１】
なお、対象画像とはスライス位置が異なる画像の領域に対して拡大再構成処理が実行される場合の再構成ピッチは、例えば対象画像（アキシャル画像）に対して設定されていた再構成ピッチ及び当該対象画像の拡大対象領域の拡大率から自動的に決定されるものとする。具体的には、対象画像の拡大対象領域の拡大率が２倍である場合、当該対象画像とスライス位置が異なる画像の領域について拡大再構成処理が実行される場合の再構成ピッチは、例えば対象画像に対して設定されていた再構成ピッチの１／２と自動的に決定することができる。
【００５２】
また、図３においては適宜設定された拡大対象領域１０１とその周辺領域を含む領域１０２に対して拡大再構成処理が実行されるものとして説明したが、例えば図４に示すように、例えば操作者の操作に応じて拡大された対象画像の領域（つまり、拡大対象領域）において表示されている被検体Ｐ内の組織（例えば、臓器）を包含する領域１０４を再構成範囲として決定し、当該領域１０４に対して拡大再構成処理が実行されても構わない。この場合、例えば拡大対象領域において表示されている部位がある臓器内であるか否かを対象画像（ここでは、ＣＴ画像）のＣＴ値の境界等から判別し、当該臓器を包含する領域を領域１０４として決定すればよい。これによれば、拡大対象領域において表示されている臓器の領域内において視点をずらした場合であっても、拡大再構成処理が実行されるのを待つことなく、高精細な画像を確認することができる。なお、上記したように対象画像とスライス位置が異なる画像の領域に対して拡大再構成処理が実行される場合についても、当該画像の同様の領域を再構成範囲として決定することができる。
【００５３】
上記したように本実施形態においては、表示された画像に対する操作者の操作に応じて拡大された当該画像の領域を再構成範囲として決定し、被検体Ｐ内部のデータ（投影データ）に基づいて当該再構成範囲として決定された領域に対応する画像を再構成し、当該再構成された画像を表示する構成により、単なる拡大操作を行うことのみで自動的に拡大再構成（ズーミング再構成）が実施されるため、操作者は煩雑な操作を行うことなく、より高精細な画像を確認することが可能となる。
【００５４】
なお、本実施形態においては拡大再構成処理が実行されるものとして説明したが、この拡大再構成処理の代わりに例えば画像フィルタ処理等を実行させることも可能である。具体的には、例えば肺野等の画像に対してシャープな画像フィルタをかけて再表示させた場合に、そのバックグラウンドで当該再表示された領域に対してよりシャープな関数を用いて画像を再構成し、当該表示されている画像に代えて当該再構成された画像を表示するような構成とすることも可能である。また、操作者による拡大操作についても複数のアキシャル画像に対して同時にバックグラウンドで実施して、画像めくりの度に当該拡大操作を行う手間を省くことも可能である。
【００５５】
更に、本実施形態における拡大操作は、例えば操作者が頻繁に使用する操作で行うことができるように予め登録しておく（簡易操作登録しておく）ような構成とすることも可能である。これにより、例えば一般的に文書等を拡大するときのようなマウスの「ｃｔｒｌ＋ホイール」により拡大操作を行うことができ、操作性を向上させることが可能となる。
【００５６】
また、本実施形態においては、例えば操作者による拡大操作に応じた対象画像の拡大率が一定以上となった場合に、再構成範囲が決定されて拡大再構成処理が実行されるものとして説明したが、例えば上記したように予め登録されている簡単な操作（例えば、マウスの左ボタンのダブルクリック操作やマウスの右ボタンで表示されたメニューからの選択操作）で拡大再構成処理が実行されるような構成とすることも可能である。なお、その他の操作についても例えば短縮のキー操作またはマウスのジェスチャー等に予め登録しておくことで操作性をより向上させることが可能となる。
【００５７】
なお、ここでは本実施形態に係る医用画像診断装置の一例としてＸ線ＣＴ装置について主に説明したが、本実施形態に係る医用画像診断装置としては、前述したようにＸ線ＣＴ装置、ＭＲＩ装置、Ｘ線診断装置及び超音波診断装置等のモダリティが適用可能である。また、本実施形態において説明した処理は、医用画像診断装置外部の医用画像処理装置（上記したモダリティとは異なり、画像処理の役割を担う例えばワークステーション等）において実行されても構わない。この場合には、医用画像処理装置内部にＣＴ画像等の医用画像を記憶しておき、当該医用画像処理装置において、当該医用画像に対して前述した図２に示す処理が実行されればよい。
【００５８】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。  
【符号の説明】
【００５９】
１０…架台、１１…Ｘ線系、１２…光学系、１３…天板、１４…検出系、１５…架台制御伝送部、２０…コンソール、２１…前処理部、２２…再構成部、２３…表示部、２４…操作部、２５…データ記憶部、２６…システム制御部、１１１…高電圧発生部、１１２…Ｘ線管、１２１…ウェッジ、１２２…スリット、１４１…検出器、１４２…データ収集部、１４２ａ…アンプ、１４２ｂ…Ａ／Ｄ変換機、１４２ｃ…コントロール基盤。
【図１】
2014117311.tif 000003
【図２】
2014117311.tif 000004
【図３】
2014117311.tif 000005
【図４】
2014117311.tif 000006